(57)【要約】  １種以上の有機溶媒と、１種以上の溶媒可溶性バインダ樹脂と、水不溶性キノン染料とを含むインク組成物、特にインクジェット用インク組成物が開示され、キノン染料はインク組成物中に溶解状態で存在しており、インク組成物は単相インク組成物である。更に、このインク組成物を用いて基体に像を印刷する方法が開示される。【特許請求の範囲】
【請求項１】
１種以上の有機溶媒と、１種以上の溶媒可溶性バインダ樹脂と、水不溶性キノン染料とを含むインク組成物であって、前記キノン染料は、前記インク組成物中に溶解状態で存在しており、前記インク組成物は単相インク組成物であることを特徴とするインク組成物。
【請求項２】
前記水不溶性キノン染料が、水不溶性アントラキノン染料又は水不溶性ナフトキノン染料である、請求項１に記載のインク組成物。
【請求項３】
インクジェット用インク組成物である、請求項２に記載のインク組成物。
【請求項４】
前記水不溶性アントラキノン染料又は前記水不溶性ナフトキノン染料が、１つ以上のアミノ基を含有する、請求項３に記載のインク組成物。
【請求項５】
前記水不溶性アントラキノン染料がＣ．Ｉ．ソルベントブルー６３である、請求項４に記載のインク組成物。
【請求項６】
前記１種以上の有機溶媒が、ケトン、アルコール、エステル及びグリコールエーテルから成る群から選択される、請求項３に記載のインク組成物。
【請求項７】
前記１種以上の有機溶媒の１つがケトンである、請求項６に記載のインク組成物。
【請求項８】
前記ケトンがアセトンである、請求項７に記載のインク組成物。
【請求項９】
前記１種以上の溶媒可溶性バインダ樹脂が、セルロース系樹脂、アクリル樹脂、スチレン−アクリル樹脂、スチレン−無水マレイン酸樹脂、ビニル樹脂、ロジン樹脂、シリコーン樹脂、フェノール樹脂、ケトン樹脂及びアルデヒド樹脂から成る群から選択される、請求項３に記載のインク組成物。
【請求項１０】
前記セルロース系樹脂が、セルロースエステル、アルキルセルロース又はニトロセルロースである、請求項９に記載のインク組成物。
【請求項１１】
前記セルロースエステルが、セルロースアセテートブチラート又はセルロースアセテートプロピオネートである、請求項１０に記載のインク組成物。
【請求項１２】
前記アルキルセルロースがエチルセルロースである、請求項１０に記載のインク組成物。
【請求項１３】
溶媒可溶性バインダ樹脂として、セルロースアセテートブチラート及びスチレン−アクリル樹脂を含む、請求項３に記載のインク組成物。
【請求項１４】
有機溶媒としてグリコールエーテルも含む、請求項７に記載のインク組成物。
【請求項１５】
前記グリコールエーテルがプロピレングリコールメチルエーテルである、請求項１４に記載のインク組成物。
【請求項１６】
有機溶媒としてのアセトン及びプロピレングリコールメチルエーテルと、溶媒可溶性バインダ樹脂としてのセルロースアセテートブチラート及びスチレン−アクリル樹脂と、前記アントラキノン染料としてのソルベントブルー６３とを含有する、請求項３に記載のインク組成物。
【請求項１７】
導電剤を更に含む、請求項３に記載のインク組成物。
【請求項１８】
（１）２５℃にて約１．６〜約７．０ｃｐｓの粘度、（２）約５０〜約２０００Ω-ｃｍの電気抵抗及び（３）約１１００〜約１７００メートル／秒の音速の特性を有する、請求項１７に記載のインク組成物。
【請求項１９】
導電剤を更に含む、請求項１に記載のインク組成物。
【請求項２０】
前記導電剤がリチウムトリフルオロメタンスルホネートである、請求項１７に記載のインク組成物。
【請求項２１】
前記水不溶性アントラキノン又はナフトキノン染料が、１つ以上のアミノ基を含有する、請求項２に記載のインク組成物。
【請求項２２】
前記１種以上の有機溶媒が、ケトン、アルコール、エステル及びグリコールエーテルから成る群から選択される、請求項１に記載のインク組成物。
【請求項２３】
前記１種以上の溶媒可溶性バインダ樹脂が、セルロース系樹脂、アクリル樹脂、スチレン−アクリル樹脂、スチレン−無水マレイン酸樹脂、ビニル樹脂、ロジン樹脂、シリコン樹脂、フェノール樹脂、ケトン樹脂及びアルデヒド樹脂から成る群から選択される、請求項１に記載のインク組成物。
【請求項２４】
有機溶媒としてのアセトン及びプロピレングリコールメチルエーテルと、溶媒可溶性バインダ樹脂としてのセルロースアセテートブチラート及びスチレン−アクリル樹脂と、前記キノン染料としてのソルベントブルー６３とを含有する、請求項１に記載のインク組成物。  
【請求項２５】
像を基体上にインクジェット印刷する方法であって、インクジェット用インク組成物の液滴の流れを基体に吐出し、前記液滴の方向を制御することによって、前記液滴が所望の印刷された像を前記基体上に形成することを含み、前記インクジェット用インク組成物は、１種以上の有機溶媒と、１種以上の溶媒可溶性バインダ樹脂と、水不溶性キノン染料とを含み、前記キノン染料は、前記インクジェット用インク組成物中に溶解状態で存在しており、前記インクジェット用インク組成物は単相インクジェット用インク組成物であることを特徴とする方法。
【発明の詳細な説明】
【技術分野】
【０００１】
本発明は、インク組成物全般、特にインクジェット用インク組成物に関する。インクジェット印刷は、印刷装置と文字を印刷する基材とを接触させることなく印刷を行う周知の技法である。簡単に説明すると、インクジェット印刷は、インク液滴の流れを表面に向かって吐出し、その流れの方向を例えば電子的に制御して、液滴が所望の印刷されたメッセージを表面上に形成する手法をとっている。
【０００２】
インクジェット印刷又は非接触式印刷（ｎｏｎ−ｃｏｎｔａｃｔ  ｐｒｉｎｔｉｎｇ）の技法は、例えば、一般に飲料水、化粧品、医薬品、酒類及びヘルスケア製品を入れるために用いられるガラス、金属又はプラスチック容器を含む不規則な形状の基体及び表面に印字するのに特によく適している。
【０００３】
インク液滴の噴射は、幾つかの異なったやり方で行うことができる。連続式インクジェット印刷（ｃｏｎｔｉｎｕｏｕｓ  ｉｎｋ−ｊｅｔ  ｐｒｉｎｔｉｎｇ）と称される第１のタイプの印刷法において、印字ヘッドのオリフィスから噴射されたインク流は、このオリフィスに圧力波パターンを印加することにより、均一なサイズと間隔のインク液滴に分割される。ジェット流分割メカニズムを制御すると、液滴が連続的なインク流から形成されるので、電荷を、選択的且つ信頼性高く液滴に印加することができる。電場を通過する荷電液滴はガター内へと偏向され回収されるが、非荷電の液滴は、インク受理体に直進して像を形成する、又はこの反対となる。
【０００４】
第２の印刷法では、インク液滴を「ドロップオンデマンド（ｄｒｏｐ  ｏｎ  ｄｅｍａｎｄ：ＤＯＤ）」法によって作り出すことができる。ドロップオンデマンド型の印刷装置では、インク受理体に像を形成するのに必要な時だけインク液滴を吐出することにより、インクへの荷電、偏向用ハードウェア及びインク回収の複雑さを回避している。ドロップオンデマンド型インクジェット印刷においては、インク液滴を、圧電変換器の機械的な運動により発生させた圧力波によって（「ピエゾ方式」）又は非連続的な熱パルスによって形成することができる（「バブルジェット（登録商標）」方式又は「サーマルジェト」方式）。別のモードのドロップオンデマンド型インクジェット印刷において、インク液滴は、独立して開閉を行うことにより断続的なインク液滴の流れを生成する弁によって作り出される。
【０００５】
一般に、インク組成物は、意図された目的にとって有用となるべく特定の要件、例えば粘度、電気抵抗、インク組成物の成分の溶解性及び適合性並びに／又はインク組成物による基体の濡れ性にかなったものであるべきである。更に、インク組成物は、好ましくは速乾性且つ耐滲み性（ｓｍｅａｒ  ｒｅｓｉｓｔａｎｔ）である。インクジェット用インク組成物は、目詰まりすることなくインクジェットノズルを通過可能である及び／又は最低限の手間で機械要素を迅速に洗浄できるものであるべきである。印刷されたメッセージは、基体に対する良好な付着性を有し、摩擦に耐えるものであるべきである。
【０００６】
その光堅牢度及び色再現特性から、キノン染料をインクジェット用インク組成物において用いることが提案されている。しかしながら、これらのインク組成物の幾つかは、水溶性キノン染料（例えば、アントラキノン染料）を含有することから水性インク組成物であり、従って、インク乾燥時間が長い。その他のキノン染料の一部、例えばアントラキノン染料は、有機溶媒中での溶解性が限定的であり、特に低温の場合、溶液から析出してインクジェットプリンタのノズル開口部を目詰まりさせる傾向がある。従って、乾燥時間が短く、プリンタのノズル開口部に目詰まりしにくいキノン染料を含むインクジェット用インク組成物が必要とされている。本発明は、このようなインク組成物を提供する。本発明の利点及び更なる独創的な特徴は、本願に記載の本発明の説明から明らかとなる。
【発明の概要】
【０００７】
本発明は、有機溶媒と水不溶性キノン染料、特にアントラキノン染料又はナフトキノン染料とを含む単相インク組成物、特にインクジェット用インク組成物を提供する。キノン染料は、インク組成物又はインクジェット用インク組成物中に溶解状態で存在している。従って、例えば、本発明は、１種以上の有機溶媒と、１種以上の溶媒可溶性バインダ樹脂と、水不溶性キノン染料、例えばアントラキノン又はナフトキノン染料とを含むインク組成物、例えばインクジェット用インク組成物を提供するものであり、染料は、インク組成物又はインクジェット用インク組成物中に溶解状態で存在しており、インク組成物又はインクジェット用インク組成物は、単相インクジェット用インク組成物である。本発明は、このインク組成物又はインクジェット用インク組成物を用いて基体に像を印刷するための方法も提供する。本発明のインク組成物又はインクジェット用インク組成物は、１つ以上の有利な特性を有しており、例えば、クロム及びコバルト等の金属を含有しておらず、貯蔵安定性を有し、乾燥時間が短い。多くのインクジェット用着色料とは異なり、本発明で使用の染料は金属錯体染料ではなく、使用がより安全だと見なされている。染料は、低温であっても溶液から析出しない。本発明のインクジェット用インク組成物は、ノズルに目詰まりすることなく印刷を行う。
【発明を実施するための形態】
【０００８】
上記の需要は、本発明によって大部分が満たされており、本発明は、１種以上の有機溶媒と、１種以上の溶媒可溶性バインダ樹脂と水不溶性キノン染料、例えばアントラキノン又はナフトキノン染料とを含むインク組成物を提供するものであり、染料は、インク組成物中において溶解状態で存在しており、インク組成物は単相インク組成物である。インク組成物はいずれの適切なインク組成物であってもよく、例えば、活版印刷若しくはリソグラフィ用インク組成物、フレキソ印刷用インク組成物、輪転グラビア印刷用インク組成物又はインクジェット用インク組成物である。
【０００９】
ある実施形態において、本発明は、１種以上の有機溶媒と、１種以上の溶媒可溶性バインダ樹脂と水不溶性キノン染料、例えばアントラキノン又はナフトキノン染料とを含むインクジェット用インク組成物を提供するものであり、染料は、インクジェット用インク組成物中において溶解状態で存在しており、インクジェット用インク組成物は単相インクジェット用インク組成物である。
【００１０】
いずれの適切な水不溶性キノン染料、例えばアントラキノン又はナフトキノン染料も使用することができる。用語「水不溶性（ｗａｔｅｒ−ｉｎｓｏｌｕｂｌｅ）」は、２５℃の水に対して約０．５ｇ／Ｌ未満、例えば約０．１ｇ／Ｌ未満の溶解性を有する染料について言及している。水不溶性染料は、好ましくは、スルホネート基を含んでいない。水不溶性アントラキノン染料の例には、Ｃ．Ｉ．ソルベント（Ｃ．Ｉ．Ｓｏｌｖｅｎｔ）イエロー１００、Ｃ．Ｉ．ソルベントオレンジ５５、Ｃ．Ｉ．ソルベントオレンジ６４、Ｃ．Ｉ．ソルベントオレンジ６５、Ｃ．Ｉ．ソルベントオレンジ６６、Ｃ．Ｉ．ソルベントレッド５２、Ｃ．Ｉ．ソルベントレッド５３、Ｃ．Ｉ．ソルベントレッド８７、Ｃ．Ｉ．ソルベントレッド１１１、Ｃ．Ｉ．ソルベントレッド１１４、Ｃ．Ｉ．ソルベントレッド１３６、Ｃ．Ｉ．ソルベントレッド１３６、Ｃ．Ｉ．ソルベントレッド１３７、Ｃ．Ｉ．ソルベントレッド１３９、Ｃ．Ｉ．ソルベントレッド１４３、Ｃ．Ｉ．ソルベントレッド１４４、Ｃ．Ｉ．ソルベントレッド１４５、Ｃ．Ｉ．ソルベントレッド１４６、Ｃ．Ｉ．ソルベントレッド１４７、Ｃ．Ｉ．ソルベントレッド１４８、Ｃ．Ｉ．ソルベントレッド１４９、Ｃ．Ｉ．ソルベントレッド１５０、Ｃ．Ｉ．ソルベントレッド１５１、Ｃ．Ｉ．ソルベントバイオレット、Ｃ．Ｉ．ソルベントバイオレット１１、Ｃ．Ｉ．ソルベントバイオレット１２、Ｃ．Ｉ．ソルベントバイオレット１３、Ｃ．Ｉ．ソルベントバイオレット１４、Ｃ．Ｉ．ソルベントバイオレット１５、Ｃ．Ｉ．ソルベントバイオレット２６、Ｃ．Ｉ．ソルベントバイオレット２８、Ｃ．Ｉ．ソルベントバイオレット３０、Ｃ．Ｉ．ソルベントブルー１１、Ｃ．Ｉ．ソルベントブルー１２、Ｃ．Ｉ．ソルベントブルー１３、Ｃ．Ｉ．ソルベントブルー１４、Ｃ．Ｉ．ソルベントブルー１５、Ｃ．Ｉ．ソルベントブルー１６、Ｃ．Ｉ．ソルベントブルー１７、Ｃ．Ｉ．ソルベントブルー１８、Ｃ．Ｉ．ソルベントブルー１９、Ｃ．Ｉ．ソルベントブルー２０、Ｃ．Ｉ．ソルベントブルー２１、Ｃ．Ｉ．ソルベントブルー３６、Ｃ．Ｉ．ソルベントブルー４０、Ｃ．Ｉ．ソルベントブルー４１、Ｃ．Ｉ．ソルベントブルー４５、Ｃ．Ｉ．ソルベントブルー５８、Ｃ．Ｉ．ソルベントブルー６３、Ｃ．Ｉ．ソルベントブルー６５、Ｃ．Ｉ．ソルベントブルー６８、Ｃ．Ｉ．ソルベントブルー６９、Ｃ．Ｉ．ソルベントブルー７４、Ｃ．Ｉ．ソルベントブルー７６、Ｃ．Ｉ．ソルベントブルー７８、Ｃ．Ｉ．ソルベントブルー７９、Ｃ．Ｉ．ソルベントブルー８０、Ｃ．Ｉ．ソルベントブルー８２、Ｃ．Ｉ．ソルベントブルー８３、Ｃ．Ｉ．ソルベントブルー８４、Ｃ．Ｉ．ソルベントブルー８５、Ｃ．Ｉ．ソルベントブルー８６、Ｃ．Ｉ．ソルベントブルー８７、Ｃ．Ｉ．ソルベントグリーン５、Ｃ．Ｉ．ソルベントグリーン６、Ｃ．Ｉ．ソルベントグリーン７、Ｃ．Ｉ．ソルベントグリーン１９、Ｃ．Ｉ．ソルベントグリーン２０、Ｃ．Ｉ．ソルベントグリーン２４、Ｃ．Ｉ．ソルベントグリーン２５、Ｃ．Ｉ．ディスパース（Ｃ．Ｉ．Ｄｉｓｐｅｒｓｅ）イエロー１３、Ｃ．Ｉ．ディスパースイエロー５１、Ｃ．Ｉ．ディスパースイエロー９２、Ｃ．Ｉ．ディスパースイエロー１０６、Ｃ．Ｉ．ディスパースオレンジ１１、Ｃ．Ｉ．ディスパースオレンジ８１、Ｃ．Ｉ．ディスパースレッド３、Ｃ．Ｉ．ディスパースレッド４、Ｃ．Ｉ．ディスパースレッド９、Ｃ．Ｉ．ディスパースレッド１１、Ｃ．Ｉ．ディスパースレッド１５、Ｃ．Ｉ．ディスパースレッド２２、Ｃ．Ｉ．ディスパースレッド５３、Ｃ．Ｉ．ディスパースレッド５５、Ｃ．Ｉ．ディスパースレッド５９、Ｃ．Ｉ．ディスパースレッド６０、ディスパースレッド６６、ディスパースレッド６９、ディスパースレッド７０、ディスパースレッド７５、ディスパースレッド８６、ディスパースレッド８７、ディスパースレッド９１、ディスパースレッド９２、ディスパースレッド９３、ディスパースレッド９４、ディスパースレッド９６、ディスパースレッド１０４、ディスパースレッド１１６、ディスパースレッド１２１、ディスパースレッド１２７、ディスパースレッド１３２、ディスパースレッド１３３、ディスパースレッド１３８、ディスパースレッド１５０、ディスパースレッド１５９、ディスパースレッド１６２、ディスパースレッド１６４、ディスパースレッド１６５、ディスパースレッド１７８、ディスパースレッド１８９、ディスパースレッド１９０、ディスパースレッド１９１、ディスパースレッド１９２、Ｃ．Ｉ．ディスパースバイオレット１、Ｃ．Ｉ．ディスパースバイオレット４、Ｃ．Ｉ．ディスパースバイオレット６、Ｃ．Ｉ．ディスパースバイオレット８、Ｃ．Ｉ．ディスパースバイオレット１１、Ｃ．Ｉ．ディスパースバイオレット１４、Ｃ．Ｉ．ディスパースバイオレット１５、Ｃ．Ｉ．ディスパースバイオレット１７、Ｃ．Ｉ．ディスパースバイオレット２２、Ｃ．Ｉ．ディスパースバイオレット２３、Ｃ．Ｉ．ディスパースバイオレット２５、Ｃ．Ｉ．ディスパースバイオレット２６、Ｃ．Ｉ．ディスパースバイオレット２７、Ｃ．Ｉ．ディスパースバイオレット２８、Ｃ．Ｉ．ディスパースバイオレット２９、Ｃ．Ｉ．ディスパースバイオレット３１、Ｃ．Ｉ．ディスパースバイオレット３４、Ｃ．Ｉ．ディスパースバイオレット３５、Ｃ．Ｉ．ディスパースバイオレット３６、Ｃ．Ｉ．ディスパースバイオレット３７、Ｃ．Ｉ．ディスパースバイオレット３８、Ｃ．Ｉ．ディスパースバイオレット４１、Ｃ．Ｉ．ディスパースバイオレット４４、Ｃ．Ｉ．ディスパースバイオレット５１、Ｃ．Ｉ．ディスパースバイオレット５６、Ｃ．Ｉ．ディスパースバイオレット５７、Ｃ．Ｉ．ディスパースバイオレット５９、Ｃ．Ｉ．ディスパースブルー１、Ｃ．Ｉ．ディスパースブルー２、Ｃ．Ｉ．ディスパースブルー３、Ｃ．Ｉ．ディスパースブルー５、Ｃ．Ｉ．ディスパースブルー６、Ｃ．Ｉ．ディスパースブルー７、Ｃ．Ｉ．ディスパースブルー８、Ｃ．Ｉ．ディスパースブルー９、Ｃ．Ｉ．ディスパースブルー１３、Ｃ．Ｉ．ディスパースブルー１４、Ｃ．Ｉ．ディスパースブルー１６、Ｃ．Ｉ．ディスパースブルー１７、Ｃ．Ｉ．ディスパースブルー１８、Ｃ．Ｉ．ディスパースブルー１９、Ｃ．Ｉ．ディスパースブルー２３、Ｃ．Ｉ．ディスパースブルー２４、Ｃ．Ｉ．ディスパースブルー２６、Ｃ．Ｉ．ディスパースブルー２７、Ｃ．Ｉ．ディスパースブルー２８、Ｃ．Ｉ．ディスパースブルー３１、Ｃ．Ｉ．ディスパースブルー３２、Ｃ．Ｉ．ディスパースブルー３４、Ｃ．Ｉ．ディスパースブルー３５、Ｃ．Ｉ．ディスパースブルー３９、Ｃ．Ｉ．ディスパースブルー４０、Ｃ．Ｉ．ディスパースブルー４５、Ｃ．Ｉ．ディスパースブルー５１、Ｃ．Ｉ．ディスパースブルー５２、Ｃ．Ｉ．ディスパースブルー５３、Ｃ．Ｉ．ディスパースブルー５４、Ｃ．Ｉ．ディスパースブルー５５、Ｃ．Ｉ．ディスパースブルー５６、Ｃ．Ｉ．ディスパースブルー６０、Ｃ．Ｉ．ディスパースブルー６１、Ｃ．Ｉ．ディスパースブルー６２、Ｃ．Ｉ．ディスパースブルー６３、Ｃ．Ｉ．ディスパースブルー６４、Ｃ．Ｉ．ディスパースブルー６５、Ｃ．Ｉ．ディスパースブルー６６、Ｃ．Ｉ．ディスパースブルー６８、Ｃ．Ｉ．ディスパースブルー７０、Ｃ．Ｉ．ディスパースブルー７２、Ｃ．Ｉ．ディスパースブルー７３、Ｃ．Ｉ．ディスパースブルー７６、Ｃ．Ｉ．ディスパースブルー７７、Ｃ．Ｉ．ディスパースブルー８０、Ｃ．Ｉ．ディスパースブルー８１、Ｃ．Ｉ．ディスパースブルー８３、Ｃ．Ｉ．ディスパースブルー８４、Ｃ．Ｉ．ディスパースブルー８６、Ｃ．Ｉ．ディスパースブルー８７、Ｃ．Ｉ．ディスパースブルー８９、Ｃ．Ｉ．ディスパースブルー９０、Ｃ．Ｉ．ディスパースブルー９１、Ｃ．Ｉ．ディスパースブルー９３、Ｃ．Ｉ．ディスパースブルー９５、Ｃ．Ｉ．ディスパースブルー９７、Ｃ．Ｉ．ディスパースブルー９８、Ｃ．Ｉ．ディスパースブルー９９、Ｃ．Ｉ．ディスパースブルー１０３、Ｃ．Ｉ．ディスパースブルー１０４、Ｃ．Ｉ．ディスパースブルー１０５、Ｃ．Ｉ．ディスパースブルー１０７、Ｃ．Ｉ．ディスパースブルー１０８、Ｃ．Ｉ．ディスパースブルー１０９、Ｃ．Ｉ．ディスパースブルー１１１、Ｃ．Ｉ．ディスパースブルー１１２、Ｃ．Ｉ．ディスパースブルー１１３、Ｃ．Ｉ．ディスパースブルー１１４、Ｃ．Ｉ．ディスパースブルー１１５、Ｃ．Ｉ．ディスパースブルー１１６、Ｃ．Ｉ．ディスパースブルー１１７、Ｃ．Ｉ．ディスパースブルー１１８、Ｃ．Ｉ．ディスパースブルー１１９、Ｃ．Ｉ．ディスパースブルー１２３、Ｃ．Ｉ．ディスパースブルー１２６、Ｃ．Ｉ．ディスパースブルー１２７、Ｃ．Ｉ．ディスパースブルー１３１、Ｃ．Ｉ．ディスパースブルー１３４、Ｃ．Ｉ．ディスパースブルー１３６、Ｃ．Ｉ．ディスパースブルー１４０、Ｃ．Ｉ．ディスパースブルー１４１、Ｃ．Ｉ．ディスパースブルー１４３、Ｃ．Ｉ．ディスパースブルー１４４、Ｃ．Ｉ．ディスパースブルー１４５、Ｃ．Ｉ．ディスパースブルー１４７、Ｃ．Ｉ．ディスパースブルー１５０、Ｃ．Ｉ．ディスパースブルー１５１、Ｃ．Ｉ．ディスパースブルー１５２、Ｃ．Ｉ．ディスパースブルー１５３、Ｃ．Ｉ．ディスパースブルー１５４、Ｃ．Ｉ．ディスパースブルー１５５、Ｃ．Ｉ．ディスパースブルー１５６、Ｃ．Ｉ．ディスパースブルー１５８、Ｃ．Ｉ．ディスパースブルー１５９、Ｃ．Ｉ．ディスパースブルー１６０、Ｃ．Ｉ．ディスパースブルー１６１、Ｃ．Ｉ．ディスパースブルー１６２、Ｃ．Ｉ．ディスパースブルー１６３、Ｃ．Ｉ．ディスパースブルー１６４、Ｃ．Ｉ．ディスパースブルー１６６、Ｃ．Ｉ．ディスパースブルー１６７、Ｃ．Ｉ．ディスパースブルー１６８、Ｃ．Ｉ．ディスパースブルー１６９、Ｃ．Ｉ．ディスパースブルー１７０、Ｃ．Ｉ．ディスパースブルー１７２、Ｃ．Ｉ．ディスパースグリーン２、５又は６が含まれる。水不溶性ナフトキノン染料の例には、Ｃ．Ｉ．ディスパースブルー２０及びＣ．Ｉ．ディスパースブルー５８が含まれる。
【００１１】
ある実施形態において、水不溶性染料は、１、２、３個又はそれ以上のアミノ基を含有する。アミノ基を有する水不溶性アントラキノン染料の例は、Ｋｉｓｈｉ  Ｋａｓｅｉ社（日本・東京）から入手可能なＣ．Ｉ．ソルベントブルー６３又はジャパンブルーＮｏ．４０３である。
【００１２】
水不溶性キノン染料は、インク組成物のどの実施形態においても溶解させられた状態で存在しており、インク組成物は単相組成物である。染料は、インク組成物中に存在している溶媒のいずれか１つ若しくはインク組成物中に存在している溶媒の混合物中又はインク組み合わせの溶媒とその他の成分との組み合わせ中に溶解し得る。
【００１３】
水不溶性キノン染料は、インク組成物中において、いずれの適切な量にて存在してもよく、例えば、インク組成物に対して質量で最高約５％、好ましくは約０．１〜約３％、より好ましくは約０．２〜約２％、更に一層好ましくは約０．５〜約１％である。
【００１４】
いずれの適切な有機溶媒も使用することができ、好ましくは揮発性有機溶媒、例えば、１００℃未満、特には８５℃未満の沸点を有する溶媒である。ある実施形態において、前述の１種以上の有機溶媒は、ケトン、アルコール、エステル及びエーテル、例えば、グリコールエーテルから成る群から選択してよい。いずれの適切なケトンも使用することができ、例えば、アセトン若しくはメチルエチルケトン等の低級アルキルケトン又はシクロヘキサノン等の環状ケトンである。エステルの例には、酢酸エチル、プロピオン酸エチル、乳酸エチル、酢酸プロピル及び酢酸ブチル等のアルキルエステルが含まれる。アルコールの例には、メタノール、エタノール、プロパノール、イソプロパノール及びブタノール等の低級アルキルアルコールが含まれる。グリコールエーテルの例には、エチレングリコールモノメチルエーテル、ジエチレングリコールモノメチルエーテル、ジエチレングリコールモノブチルエーテル、トリエチレングリコールモノメチルエーテル、トリエチレングリコールモノブチルエーテル、ジプロピレングリコールモノメチルエーテル、ジプロピレングリコールモノブチルエーテル、トリプロピレングリコールモノメチルエーテル及びトリプロピレングリコールモノブチルエーテルが含まれる。１、２、３又はそれ以上の種類の有機溶媒の混合物を用いることができる。
【００１５】
有機溶媒又は有機溶媒混合物は、いずれの適切な量にて存在してもよく、例えば、インク組成物の実施形態に対して質量で５０質量％より多く、好ましくは約６０％〜約９０％、より好ましくは約７０％〜約８０％である。ある具体的な実施形態において、インク組成物は、より揮発性の高い溶媒（例えば、約５６℃の沸点を有する溶媒）と、より揮発性の低い溶媒（例えば、約１４５℃の沸点を有する溶媒）との混合物、例えば、より揮発性の高いケトン溶媒とより揮発性の低いグリコールエーテル溶媒との混合物を含む。従って、例えば、インク組成物は、アセトンとプロピレングリコールメチルエーテルとの混合物を含むことができる。
【００１６】
溶媒混合物を使用する場合、混合物は、いずれの適切な割合の溶媒を含有してもよい。例えば、１種以上のより揮発性の高い溶媒（例えば、８５℃未満の沸点）及び１種以上のより揮発性の低い揮発性溶媒（例えば、２００℃未満の沸点）を含有する混合物において、より揮発性の高い溶媒対より揮発性の低い溶媒の質量比は、約９０／１０、約８０／２０、約７０／３０、約６０／４０、約５０／５０、約４０／６０若しくは約３０／７０、好ましくは約９０／１０、約８０／２０若しくは約７０／３０又はこれらの比の中間値が可能である。
【００１７】
本発明のインク組成物は、水を含有していない又は実質的に水を含有していない。例えば、水が存在する場合、インク組成物に対して質量で約４０％未満、例えば約３０％又は約２０％未満、好ましくは約１０％又は約５％未満、より一層好ましくは約２％又は約１％未満の量にて存在することができる。インク組成物が単相組成物である限り、つまりエマルション又は沈殿物を形成しない限り、いずれの適切な量の水が存在していてもよい。
【００１８】
本発明のインク組成物は、１種以上の溶媒可溶性バインダ樹脂、つまり有機溶媒又は有機溶媒混合物に可溶である樹脂を含有する。いずれの適切な溶媒可溶性バインダ樹脂も用いることができる。溶媒可溶性バインダ樹脂の例には、セルロース系樹脂、アクリル樹脂、スチレン−アクリル樹脂、スチレン−無水マレイン酸樹脂、塩化ポリビニル、ポリビニルアセテート又はポリビニルアルコール樹脂等のビニル樹脂、ロジン樹脂、シリコーン樹脂、フェノール樹脂、ノボラック樹脂、ケトン樹脂、アルデヒド樹脂、ポリエステル樹脂、ポリアミド樹脂、ポリイミド樹脂、テルペン樹脂、アルキド樹脂、ポリウレタン樹脂、ケタール樹脂、エポキシ樹脂、塩化ゴム、シェラック及びサラン樹脂が含まれる。
【００１９】
ある実施形態において、溶媒可溶性バインダ樹脂は、好ましくは、キノン染料と反応することにより染料のインク組成物中での溶解性又は安定性を上昇でき得る官能基を含有している。例えば、バインダ樹脂は、芳香族基又はヒドロキシル及び／若しくはカルボキシル基等の極性官能基を含有している。例えば、ある実施形態において、溶媒可溶性バインダ樹脂は、溶媒可溶性セルロース系樹脂及び溶媒可溶性ポリスチレン又はスチレン−アクリル共重合体樹脂から成る群から選択することができる。
【００２０】
いずれの適切なセルロース系樹脂も使用することができ、例えばセルロースエステル又はアルキルセルロースである。セルロースエステルとは、例えば、２〜８個の炭素原子、好ましくは２〜５個の炭素原子を有する１種以上のエステル基によって、そのヒドロキシル基の幾つか又は全てがエステル官能基又は混在するエステル官能基を有するように修飾されているセルロースである。セルロースエステルの例には、アセテートブチラート及びセルロースアセテートプロピオネート等のセルロース混合エステルが含まれる。適切なセルロースエステルの例は、テネシー州キングスポート（Ｋｉｎｇｓｐｏｒｔ）のＥａｓｔｍａｎ  Ｃｈｅｍｉｃａｌ社からＣＡＢ５５１−０．０１として市販されているセルロースアセテートブチラートである。アルキルセルロースとは、そのヒドロキシル基の幾つか又は全てが、１〜８個の炭素原子、好ましくは２〜４個の炭素原子のアルキル基を含有するように修飾されているセルロース、例えばエチルセルロースである。ニトロセルロースも、セルロース系樹脂として用いることができる。
【００２１】
いずれの適切なアクリル樹脂又はスチレン−アクリル樹脂も使用することができる。スチレン−アクリル樹脂において、アクリル単量体は、アクリルエステル又はアクリル酸であっても良く、例えば、０〜約２００、好ましくは約１０〜約１００の酸価を有する、スチレンとアクリル単量体との共重合体である。溶媒可溶性スチレン−アクリル樹脂の例は、ウィスコンシン州ラシーヌ（Ｒａｃｉｎｅ）のＳ．Ｃ．Ｊｏｈｎｓｏｎ社から入手可能なＪＯＮＣＲＹＬＴＭ５８６及びＪＯＮＣＲＹＬ６１１樹脂である。具体的な実施形態において、インク組成物は、溶媒可溶性バインダ樹脂として、セルロースアセテートブチラート及びスチレン−アクリル樹脂を含む。
【００２２】
溶媒可溶性バインダ樹脂は、インク組成物中において適切な量にて存在することができ、例えば、インク組成物に対して質量で約５〜約２５％以上等の約３％以上、好ましくは約１０〜約２０％、より好ましくは約１２〜約１６％の量である。例えば、２種の樹脂の混合物を用いる場合、これらの樹脂はいずれの適切な割合で存在してもよく、例えば、質量で約２０／８０、約２５／７５、約３０／７０、約４０／６０若しくは約５０／５０又はこれらの中間の比である。
【００２３】
本発明の特定の実施形態において、インク組成物は、有機溶媒としてのアセトン及びプロピレングリコールメチルエーテルと、溶媒可溶性バインダ樹脂としてのセルロースアセテートブチラート及びスチレン−アクリル樹脂と、キノン染料としてのＣ．Ｉ．ソルベントブルー６３とを含有している。
【００２４】
具体的な実施形態において、本発明のインク組成物は、インクジェット用インク組成物である。本発明のインク組成物は、粘度、導電性及び／又は溶媒蒸発速度を調節するために、１種以上の追加成分を含むことができる。連続式のインクジェットプリンタで使用する場合、インクジェット用インク組成物は、一般に、以下の特性：（１）２５℃にて約１．６〜約７．０ｃｐｓの粘度、（２）約５０〜約２０００Ω-ｃｍの電気抵抗及び（３）約１１００〜約１７００メートル／秒の音速を有している。その他の用途のためのインク組成物は、より高い粘度を有していてよい。例えば、オフセット印刷の場合、インク組成物は４〜８０Ｐａ．ｓ（  ｃｐｓ）、フレキソ印刷の場合は５０〜５００ｍＰａ．ｓ（  ｃｐｓ）、グラビア印刷の場合は４０〜３００ｍＰａ．ｓ（  ｃｐｓ）、活版印刷の場合は３〜５０Ｐａ．ｓ（  ｃｐｓ）、スクリーン印刷の場合は１〜２０Ｐａ．ｓ（  ｃｐｓ）、凹刻印刷の場合は１０〜１００Ｐａ．ｓ（  ｃｐｓ）の粘度を有することができる。
【００２５】
連続式インクジェットプリンタで使用する場合、インク組成物は、一般に、導電剤（ｃｏｎｄｕｃｔｉｖｅ  ａｇｅｎｔ）を含む。いずれの適切な導電剤も用いることができ、例えば有機又は無機カチオン及び有機又は無機アニオンを含有する塩、特にはリチウムトリフルオロメタンンスルホネートである。
【００２６】
ある実施形態において、本発明は、インク組成物、特にインクジェット用インク組成物を提供するものであって、このインク組成物又はインクジェット用インク組成物は、インク組成物又はインクジェット用インク組成物に対して質量で約６５〜約８０質量％のアセトンと、約５〜約２０質量％のプロピレングリコールメチルエーテルと、約０．５〜約２％、好ましくは約０．５〜約１％の水不溶性キノン染料と、約３〜約９％のセルロースアセテートブチラートと、約６〜約１０％のスチレン−アクリル樹脂と、約０．５〜約２％、好ましくは約０．７〜約０．９％のリチウムトリフルオロメタンスルホネートとを含む、本質的にこれらから成る又はこれらから成る。
【００２７】
本発明のインク組成物、特に本発明のインクジェット用インク組成物のインク乾燥時間は短く、例えば２秒未満、好ましくは１秒未満、より好ましくは０．５秒未満である。本発明のインクジェット用インク組成物は、長期間に亘って安定している。キノン染料は、溶液から析出しない。更に、インク組成物の実施形態は、−２０℃で少なくとも２週間以上、５℃で少なくとも４週間以上、５２℃で少なくとも１２週間以上の期間に亘って安定している。
【００２８】
本発明のインク組成物の実施形態は、湿潤剤、可塑剤、消泡剤、界面活性剤及び接着性促進剤等の１種以上の追加成分も含むことができる。
【００２９】
本発明は、本発明のインク組成物を基体に適用して所望の像を描くこと含む、所望の像を基体に印刷する方法を更に提供する。インクはいずれの適切な技法で適用することもできる。具体的には、本発明は、像を基体にインクジェット印刷する方法を提供するものであり、本方法は、上述の実施形態のいずれにも記載されているように、インクジェット用インク組成物の液滴流を基体に吐出し、この液滴の方向を制御することによって液滴が所望の印刷された像を基体上に形成することを含む。基体の例には、紙及びその他の吸収性材料等の多孔質基体並びにプラスチック、金属及びガラス等の非多孔質基体の双方が含まれる。
【００３０】
以下の実施例により本発明を更に説明するが、当然のことながら、以下の実施例は、いかなる形においても本発明の範囲を制限すると捉えられるべきではない。
【実施例１】
【００３１】
本実施例により、本発明のある実施形態によるインクジェット用インク組成物について説明する。
【００３２】
【表１】
2010503741.tif 000002
【００３３】
上記のインクジェット用インク組成物は、−２０℃、５℃及び５２℃で、それぞれ２週間以上、４週間以上及び１２週間以上の期間に亘って安定している。
【００３４】
公報、特許出願及び特許を含む本願において引用された参考文献は全て、各参考文献が個別に且つ具体的に示されて参考として導入され、その全てが本願に記載されたのと同程度にまで参考として本願に導入される。
【００３５】
本発明を記載するにあたって（特に、以下の請求項の文脈において）、不定冠詞及び定冠詞並びに同様の指示対象を使用することにより、本願で特に指示がない限り又は文脈に明らかに矛盾しない限り、単数形と複数形の双方が含まれると解釈される。用語「含む（ｃｏｍｐｒｉｓｉｎｇ）」、「有する（ｈａｖｉｎｇ）」、「含む（ｉｎｃｌｕｄｉｎｇ）」及び「含有する（ｃｏｎｔａｉｎｉｎｇ）」は、特に記載がない限り、非制限的な用語（つまり、「〜を含むが、これに限定されるものではない」ことを意味する）として解釈される。本願における数値範囲の詳述は、本願において特に指示がない限り、その範囲内に入る個々の値に個別に言及することを簡略化した方法としての役割を果たすことを意図したにすぎず、個々の値は、本願において個別に記載されたかのように本明細書中に導入される。本願において記載の方法は全て、本願において特に指示がない限り又は文脈に明らかに矛盾しない限り、いずれの適切な順序で行うことができる。本願で使用されているいずれか及び全ての例又は例示を示す言い回し（例えば、「〜等」）の使用は、本発明をよりわかり易くすることを意図したに過ぎず、特に申し立てがない限り、本発明の範囲に制限を加えるものではない。本明細書中のどの表現も、本発明の実施に不可欠である請求されていない要素を示すと解釈されるべきではない。
【００３６】
本発明の好ましい実施形態は本願に記載されており、本発明を実行するための、発明者に既知の最良の形態を含む。これらの好ましい実施形態の変化形は、上記記載を読むことにより当業者に明らかとなる。発明者は、このような変化形を必要に応じて採用することを予測しており、又、発明者は、本発明が本願で具体的に記載されたものとは異なる形で実施されることを意図している。従って、本発明は、適用される法によって認められるように、本願に付随する請求項に記載の主題の変形及び同等物全てを含む。更に、本願において特に指示がない限り又は文脈と明らかに矛盾していない限り、上記の要素のその考えられ得る全変形例におけるどの組み合わせも、本発明に含まれる。
【国際調査報告】
2010503741.tif 000003
2010503741.tif 000004